(57)【要約】コアネットワークにアタッチされた少なくとも２つの異なる形式の無線アクセスネットワークを備えた通信ネットワークシステムが開示される。このネットワークシステムにおいて、加入者は、第１の無線アクセスネットワークを経てコアネットワークと通信し、コアネットワークは、オペレータ特有の基準に基づいて別の形式の無線アクセスネットワークへの加入者のハンドオーバーを強制する。
2004502363.tif 000002
【特許請求の範囲】
【請求項１】
コアネットワークにアタッチされた少なくとも２つの異なる形式の無線アクセスネットワークを備えた通信ネットワークシステムにおいて、
加入者が第１無線アクセスネットワークを経てコアネットワークと通信し、そして
コアネットワークがオペレータ特有の基準に基づいて別の形式の無線アクセスネットワークへの加入者のハンドオーバーを強制する、
ように構成された通信ネットワークシステム。
【請求項２】
上記コアネットワークは、第１無線アクセスネットワークに送信される指定要求メッセージにおいて、他の形式の無線アクセスネットワークへのハンドオーバーが必要であることを指示する請求項１に記載のネットワークシステム。
【請求項３】
上記コアネットワークは、他の無線アクセスネットワークへ送信されるハンドオーバー要求メッセージにおいて第１形式の無線アクセスネットワークを好ましい無線アクセスネットワークとして指示する請求項２に記載のネットワークシステム。
【請求項４】
上記オペレータ特有の基準は、要求されたサービスを含む請求項１に記載のネットワークシステム。
【請求項５】
上記オペレータ特有の基準は、加入者の認識を含む請求項１に記載のネットワークシステム。
【請求項６】
上記コアネットワークは、第１無線アクセスネットワークからサービス要求を受け取ると、加入者の認識を分析し、そしてその分析結果に基づいて他の形式の無線アクセスネットワークへのハンドオーバーを強制する請求項５に記載のネットワークシステム。
【請求項７】
許された無線アクセスネットワークの形式は、加入者データベースにおいて加入者パラメータとして特定され、そして上記コアネットワークへ送信される請求項５に記載のネットワークシステム。
【請求項８】
上記オペレータ特有の基準は、加入者の位置を含む請求項１に記載のネットワークシステム。
【請求項９】
上記コアネットワークは、第１無線アクセスネットワークへ送信される指定要求メッセージにおいて位置情報及びターゲット無線アクセスネットワークの形式を指示する請求項８に記載のネットワークシステム。
【請求項１０】
上記コアネットワークは、アクティブな接続中にいつでも位置情報及びターゲット無線アクセスネットワークの形式を第１無線アクセスネットワークに送信する請求項８に記載のネットワークシステム。
【請求項１１】
上記オペレータ特有の基準は、要求されたセキュリティレベルを含む請求項１に記載のネットワークシステム。
【請求項１２】
上記コアネットワークは、要求されたサービスの要求されたセキュリティレベルを分析し、そしてその分析結果に基づいて他の形式の無線アクセスネットワークへのハンドオーバーを強制する請求項１１に記載のネットワークシステム。
【請求項１３】
１組の許されたセキュリティアルゴリズムが加入者データベースにおいて特定され、そしてコアネットワークへ送信される請求項１１に記載のネットワークシステム。
【請求項１４】
第１無線アクセスネットワークを経てコアネットワークと通信している加入者を別の形式の無線アクセスネットワークへハンドオーバーする方法であって、無線アクセスネットワークは、少なくとも２つの異なる形式の無線アクセスネットワークを含む通信ネットワークシステムにおいてコアネットワークにアタッチされ、他の形式の無線アクセスネットワークへの加入者のハンドオーバーが、オペレータ特有の基準に基づいてコアネットワークにより強制されるようにした方法。
【請求項１５】
上記コアネットワークから第１無線アクセスネットワークに送信される指定要求メッセージにおいて、他の形式の無線アクセスネットワークへのハンドオーバーが必要であることを指示する請求項１４に記載の方法。
【請求項１６】
上記第１形式の無線アクセスネットワークは、上記コアネットワークから他の無線アクセスネットワークへ送信されるハンドオーバー要求メッセージにおいて好ましい無線アクセスネットワークとして指示される請求項１５に記載の方法。
【請求項１７】
上記オペレータ特有の基準は、要求されたサービスを含む請求項１４に記載の方法。
【請求項１８】
上記オペレータ特有の基準は、加入者の認識を含む請求項１４に記載の方法。
【請求項１９】
上記加入者の認識は、第１無線アクセスネットワークからサービス要求を受け取ると、上記コアネットワークにより分析され、そしてその分析結果に基づいて他の形式の無線アクセスネットワークへのハンドオーバーが強制される請求項１８に記載の方法。
【請求項２０】
許された無線アクセスネットワークの形式は、加入者データベースにおいて加入者パラメータとして特定され、そして上記コアネットワークへ送信される請求項１８に記載の方法。
【請求項２１】
上記オペレータ特有の基準は、加入者の位置を含む請求項１４に記載の方法。
【請求項２２】
上記コアネットワークから第１無線アクセスネットワークへ送信される指定要求メッセージにおいて位置情報及びターゲット無線アクセスネットワークの形式が指示される請求項２１に記載の方法。
【請求項２３】
アクティブな接続中にいつでも上記コアネットワークにより第１無線アクセスネットワークに位置情報及びターゲット無線アクセスネットワークの形式が送信される請求項２１に記載の方法。
【請求項２４】
上記オペレータ特有の基準は、要求されたセキュリティレベルを含む請求項１４に記載の方法。
【請求項２５】
要求されたサービスの要求されたセキュリティレベルが上記コアネットワークによって分析され、そしてその分析結果に基づいてハンドオーバーが強制される請求項２４に記載の方法。
【請求項２６】
１組の許されたセキュリティアルゴリズムが加入者データベースにおいて特定され、そしてコアネットワークへ送信される請求項２４に記載の方法。
【発明の詳細な説明】
【０００１】
【技術分野】
本発明は、コアネットワークにアタッチされる少なくとも２つの異なる形式の無線アクセスネットワークを使用する通信ネットワークシステムに係る。
【０００２】
【背景技術】
アイドル状態において、例えば、ＧＳＭ（移動通信用のグローバルシステム）及びＵＭＴＳ（ユニバーサル移動テレコミュニケーションサービス）のような２つ以上の異なる形式の無線アクセスネットワークと通信することのできるマルチモードユーザエンティティを考慮すると、デュアルモードＧＳＭ／ＵＭＴＳ　ＵＥは、ネットワークの選択を次のように実行する。
最後に登録されたＰＬＭＮ（公衆地上移動ネットワーク）を選択するよう試みる；
ホームＰＬＭＮを選択するよう試みる；
（Ｕ）ＳＩＭ（（ＵＭＴＳ）加入者認識モジュール）ＰＬＭＮセレクタリストに規定されたＰＬＭＮを選択するよう試みる；
他のＰＬＭＮを選択するよう試みる。
【０００３】
その後、無線アクセスネットワークＲＡＮ（例えば、ＧＳＭ　ＲＡＮ又はＵＭＴＳ　ＲＡＮ）及びセルが、信号強度に基づいて選択される。換言すれば、いずれかのＲＡＮ形式が他のＲＡＮ形式より優先されることはない。ＵＥは、特定のセルにキャンプした後、ＰＬＭＮへの登録を実行する。ユーザがネットワークからのサービスを要求すると、選択されたＲＡＮにおいてキャンプしたセルを経てそれが開始される。
ＵＥがアクティブな状態にあり、例えば、ユーザが進行中のコールを有するときには、各ＲＡＮ及びコアネットワークＣＮの無線ネットワークコントローラがソフト及びハードハンドオーバーによってユーザの移動を取り扱う。現在の移動通信ネットワークでは、各無線アクセスネットワークの無線ネットワークコントローラにハンドオーバー判断アルゴリズムが配置されており、これは、３ＧＰＰ（第３世代パートナーシッププロジェクト）又はＥＴＳＩ（ヨーロピアン・テレコミュニケーションズ・スタンダーズ・インスティテュート）において標準化されておらず、即ち所有権をもつものである。ＵＥは、サービスを提供するときに通る無線アクセスネットワークの形式を制御することができない。
【０００４】
更に、現在の３ＧＰＰ及びＥＴＳＩ仕様書は、例えば、ＧＳＭ／ＵＭＴＳネットワークを操作するオペレータに対し、そのいずれか一方を他方以上に使用できるようにするツールを与えるものではない。
しかしながら、オペレータは、どんな形式の無線アクセスネットワークをユーザが使用するか制御するための手段が必要であることを指示している。使用する無線アクセスシステムの形式を制御することは、現在のワイヤレス通信システムに対して新たな無線アクセスシステム、例えば、ＢＲＡＮ（ブロードバンド無線アクセスネットワーク）及びＧＥＲＡＮが導入されたり、他のアクセス形式、例えば、ＷＬＡＮ（ワイヤレスローカルエリアネットワーク）との一体化が実現されたりしたときには、より一層必要となるであろう。
現在まで、ベースステーションシステムマネージメントアプリケーションパートプロトコルのチャンネル形式情報エレメントにおけるパラメータであって、ＧＳＭからＵＭＴＳへ接続をハンドオーバーするのに使用できるメカニズムが提案されているに過ぎない。
【０００５】
【発明の開示】
本発明の目的は、別の形式の無線アクセスネットワークへのオペレータ強制型ハンドオーバーを実現する通信ネットワークシステム及び方法を提供することである。
本発明によれば、この目的は、コアネットワークにアタッチされた少なくとも２つの異なる形式の無線アクセスネットワークを備えた通信ネットワークシステムにより達成される。このネットワークシステムにおいて、加入者が第１無線アクセスネットワークを経てコアネットワークと通信し、そしてコアネットワークが、オペレータ特有の基準に基づいて別の形式の無線アクセスネットワークへの加入者のハンドオーバーを強制する。
【０００６】
更に、上記目的は、第１無線アクセスネットワークを経てコアネットワークと通信している加入者を別の形式の無線アクセスネットワークへハンドオーバーする方法であって、無線アクセスネットワークは、少なくとも２つの異なる形式の無線アクセスネットワークを含む通信ネットワークシステムにおいてコアネットワークにアタッチされ、他の形式の無線アクセスネットワークへの加入者のハンドオーバーが、オペレータ特有の基準に基づいてコアネットワークにより強制されるようにした方法によって達成される。
【０００７】
本発明の実施形態によれば、コアネットワークは、第１無線アクセスネットワークへ送信される指定要求メッセージにおいて他の形式の無線アクセスネットワークへのハンドオーバーが必要であることを指示する。これは、サービスプロバイダーの観点から好ましいものでない無線アクセスネットワーク形式を経てユーザ装置がサービスを要求する場合に必要となる。即ち、オペレータは、別の形式の無線アクセスネットワークを経て、要求されたサービスを提供しようとする。
【０００８】
更に、別の実施形態によれば、コアネットワークは、他の無線アクセスネットワークへ送信されるハンドオーバー要求メッセージにおいて第１形式の無線アクセスネットワークを好ましい無線アクセスネットワークとして指示する。これは、好ましい無線アクセスネットワーク形式から、サービスプロバイダーの観点からサービスを提供するのに最適でない別の無線アクセスネットワーク形式へハンドオーバーが実行される場合に必要とされる。これは、好ましい形式の無線アクセスネットワークが使用可能になったときに（例えば、カバレージの理由で）、そこへのハンドオーバーを実行できるようにする。
本発明によれば、上記オペレータ特有の基準は、要求されたサービス、加入者の認識、加入者の位置及び／又は要求されたセキュリティレベルを含む。
【０００９】
上記コアネットワークは、第１無線アクセスネットワークからサービス要求を受信すると、加入者の認識を分析し、そしてその分析結果に基づいて他の形式の無線アクセスネットワークへのハンドオーバーを強制する。これは、サービスプロバイダーが、例えば、複数のサービスに関してそれ自身の加入者に対し考えられる最良のサービスを提供できるようにする。
ある実施形態によれば、許された無線アクセスネットワーク形式は、加入者データベースにおいて加入者パラメータとして特定され、そしてコアネットワークへ送信される。これは、ユーザ及び／又はサービスプロバイダーが、特定の加入者に対するサービスを提供するために使用されるべき無線アクセスネットワークの形式を訪問先ネットワークに指示できるようにする。
【００１０】
更に、ある実施形態によれば、コアネットワークは、第１無線アクセスネットワークに送信される指定要求メッセージにおいて位置情報及びターゲット無線アクセスネットワークの形式を指示する。これは、ネットワークシステムが、位置に基づいてサービスを提供するのに使用される無線アクセスネットワークの形式を制御できるようにする。これは、例えば、ＵＭＴＳ帯域で限定された容量しか使用できないエリアにおいてＵＭＴＳアクセスからＧＳＭへあるユーザをハンドオーバーするのに使用できる。
別の実施形態によれば、コアネットワークは、アクティブな接続中にいつでも位置情報及びターゲット無線アクセスネットワークの形式を第１無線アクセスネットワークへ送信する。これは、ハンドオーバーの制御に対して更なる融通性を与える。というのは、要求された情報が接続確立の際に必ずしも送信されなくてよいからである。
【００１１】
更に、コアネットワークは、要求されたサービスの要求されたセキュリティレベルを分析し、そしてその分析結果に基づいてハンドオーバーを強制する。この点に関して、１組の許されたセキュリティアルゴリズムが加入者データベースにおいて特定され、そしてコアネットワークへ送信される。これは、ユーザが、自分のサービスに対して少なくとも最小限必要なセキュリティレベルが適用されるよう確保できるようにする。例えば、ユーザが、現在使用しているものより高いセキュリティレベルを必要とするサービスを要求する場合に、サービスしている無線アクセスネットワークが必要なセキュリティレベルを与えることができなければ、システム間ハンドオーバーが実行される。
【００１２】
又、本発明によれば、オープンインターフェイスへの僅かな変更により、オペレータは、異なる形式の無線アクセスネットワークへのアクセスを制御するための最大限の融通性を得る。特に、誰（加入者の認識）が、何（のサービス）に対し、どこ（の位置）で、自分のネットワークシステムにおける特定形式の無線アクセスネットワークを使用するか制御するためにオペレータに対して１組のツールが導入される。
【００１３】
【発明を実施するための最良の形態】
以下、添付図面を参照して、本発明の好ましい実施形態を詳細に説明する。
本発明の基本的な考え方は、コアネットワークが、異なる加入者へサービスを提供するのに使用される無線アクセスネットワークの形式について制御を行えるようにすることである。
本発明は、無線アクセスネットワークの形式について何ら規定の優先順位を設定するものではない。ここに説明するメカニズム及び原理は、いかなる種類の無線アクセスネットワーク、例えば、ＷＬＡＮ、ＵＭＴＳ、ＢＲＡＮ、ＧＳＭ、ＧＥＲＡＮ、ＩＳ−１３６等々にも適用できる。
【００１４】
ターミナル装置が移動することによるハンドオーバー及びトラフィックのバランスをとる理由のハンドオーバーに加えて、オペレータは、その他の事柄に基づいて、２つの異なる形式の無線アクセスネットワーク間のハンドオーバー、即ちシステム間ハンドオーバーをトリガーできることを要求する。本発明による強制型システム間ハンドオーバーの形式、及び移動通信ネットワークシステムにおいてそれを実施する例について以下に説明する。
【００１５】
１．要求されたサービスに基づくハンドオーバー
例えば、ＵＭＴＳ無線アクセスによりローミングしている間に、ユーザは、ネットワークから簡単なスピーチサービスを要求することができる。接続を確立する際に、ユーザの接続は、要求されたサービスを提供でき且つＵＭＴＳ帯域の容量を好ましくはパケットデータサービス専用とすることのできるＧＳＭ無線アクセスネットワークへハンドオーバーすることができる。
【００１６】
２．加入者又は加入者のホームネットワークの認識に基づくハンドオーバー
サービス要求があったときに、コアネットワークは、加入者の認識、例えば、ＧＳＭ及びＵＭＴＳにおけるＩＭＳＩを分析して、その加入者がオペレータ「自身」の加入者であるか訪問加入者であるかを見出すことができる。オペレータ特有の基準に基づき、コアネットワークは、接続を別の無線アクセスネットワーク形式へハンドオーバーすべきであることを指定要求において指示することができる。更に、許された無線アクセスネットワーク形式を、ＨＬＲデータベース及びＶＬＲ−ＨＬＲインターフェイス（ビジター位置レジスタ−ホーム位置レジスタインターフェイス）において加入者パラメータとして特定することができる。これは、オペレータが、個々の加入者のレベルにおいて異なる無線アクセスネットワーク形式へのアクセスを制御できるようにする。
例えば、オペレータは、ＵＭＴＳアクセスネットワークにアクセスするためにそれ自身の加入者に対して優先順位を与えることができ、そしてローミングしている加入者は、ＧＳＭ無線アクセスネットワークにハンドオーバーされる。
【００１７】
３．加入者の位置に基づくハンドオーバー
この機能を実施するための方法は、次の２つがある。
−　コアネットワークにより送信される指定要求及びハンドオーバー要求メッセージにおいて位置情報及びターゲット無線アクセスネットワークの形式を指示し、及び／又は
−　コアネットワークと無線アクセスネットワークとの間、例えば、Ｉｕ及びＡインターフェイスにおいて使用されるべき手順であって、サービスしている無線アクセスネットワークへ必要な情報を搬送する手順を導入する。
【００１８】
例えば、加入者が、ある特定のＬＳＡ（ローカルサービスエリア）又は地理的エリアに入るときには、加入者の接続が規定の無線アクセスネットワークへハンドオーバーされる。
コアネットワークと無線アクセスネットワークとの間で使用されるべき手順により導入される付加的な機能は、ターゲットネットワークに関する必要な情報を接続確立又はハンドオーバー時に送信しなくてよいというものである。必要な情報は、アクティブな接続中にいつでも送信することができる。
【００１９】
４．必要なセキュリティレベルに基づくハンドオーバー
最も簡単な形態では、サービスしているコアネットワークエンティティ、例えば、ＭＳＣ／ＶＬＲ、又はＳＧＳＮ（サービングＧＰＲＳサポートノード）が、要求されたサービスを分析し、そして現在使用されているセキュリティレベルが受け入れられるかどうかの判断を行う。
例えば、繊細なデータを転送するためのデータ接続を確立する場合には、ＵＭＴＳを使用するよりも、会社のＷＬＡＮへのハンドオーバーの方が好ましい。
【００２０】
５．上記基準の組み合わせに基づくハンドオーバー
例えば、ローミング中のユーザに対し、ＧＳＭ無線アクセスのみを経てスピーチサービスが提供される。それ故、ＵＭＴＳ　ＲＡＮを経て接続が確立されたときに、加入者が訪問加入者である場合には、接続がＧＳＭへハンドオーバーされる。
ハンドオーバーを遂行するのに使用される基準は、上述したものに限定されない。
以下、図１及び２を参照して、上記基準の技術的な実施について説明する。
【００２１】
図１は、要求されたサービスに基づくオペレータ強制型ハンドオーバーの実施を示す。
ユーザエンティティＵＥによりサービス要求が送信される前に、コアネットワーク（ここではＭＳＣ／ＶＬＲ）は、ユーザを識別及び認証し、そして無線インターフェイスにおいて暗号化を潜在的にスタートしている。
【００２２】
ＵＥから第１無線アクセスネットワークＵＭＴＳ　ＲＡＮへの通信１において、ＵＭＴＳセルにキャンプしたＵＥは、ネットワークからあるサービス、例えば、基本的スピーチサービスを要求する。通信２において、サービス要求は、無線アクセスネットワークＵＭＴＳ　ＲＡＮによりコアネットワークへ転送される。このＵＭＴＳ　ＲＡＮは、ＵＥがデュアルモードＧＳＭ／ＵＭＴＳターミナルであることを識別し、そしてＧＳＭ隣接セルにおいて測定を実行するようにＵＥに命令する。
【００２３】
ＭＳＣ／ＶＬＲで表わされたコアネットワークは、要求されたサービスを分析し、そしてＵＭＴＳ　ＲＡＮに向かい無線チャンネル指定手順を開始する（通信３）。オペレータ特有の基準に基づき、指定要求は、接続を別の形式の無線アクセスネットワーク、この場合は、ＧＳＭへハンドオーバーしなければならないという指示を含む。コアネットワークにより遂行されるハンドオーバーに対する基準は、ここでは、簡単なスピーチサービスが要求され、そしてその要求されたサービスを、ＧＳＭを経て提供できるというものである。ＵＥが現在位置しているその特定のエリアにＧＳＭカバレージがありそしてＵＥにより与えられる測定レポートがハンドオーバーを許す場合には、サービスしているＵＭＴＳ　ＲＡＮが、リロケーション要求メッセージ（通信４）をＭＳＣ／ＶＬＲへ送信することによりシステム間ハンドオーバーを開始する。ＧＳＭカバレージが現在ないか、又はＵＥが測定レポートを送信していない場合には、サービスしているＵＭＴＳ　ＲＡＮは、ハンドオーバーを遅らせ、そして無線リソースを接続のために予約できることに注意されたい。
【００２４】
通信５において、ＭＳＣ／ＶＬＲは、ターゲットＲＡＮの無線ネットワークコントローラ（ＲＮＣ）、ここに示すケースではＧＳＭ　ＢＳＳ（ＧＳＭベースステーションシステム）へハンドオーバー要求を送信する。要求された無線リソースが予約された後、ターゲットＲＡＮ（ＧＳＭ　ＢＳＳ）は、ハンドオーバー要求確認メッセージをＭＳＣ／ＶＬＲへ送信する（通信６）。次いで、通信７において、ＭＳＣ／ＶＬＲは、サービスしているＵＭＴＳ　ＲＡＮにリロケーションコマンドを送信する。サービスしているＵＭＴＳ　ＲＡＮは、Ｌ３−ＲＲＣ（層３−無線リソース制御）システム間ハンドオーバーコマンドをＵＥへ送信し（通信８）、そしてその後、ＵＥは、ＧＳＭ無線アクセスネットワークにおいて無線リソースにアクセスする（通信９）。
【００２５】
上述したハンドオーバー手順は、ハンドオーバー／リロケーション要求メッセージにおいて好ましい無線アクセスシステム指示を特定することにより更に拡張することができる。この筋書きは、図２を参照して以下に説明する。
図２の通信１において、ＵＥがキャンプしているＵＭＴＳ　ＲＡＮのＲＮＣは、例えば、カバレージの理由で、ＧＳＭ　ＢＳＳへのハンドオーバーを開始し、そしてリロケーション要求メッセージをＭＳＣ／ＶＬＲに送信する。ＭＳＣ／ＶＬＲは、ＵＥ又は加入者が利用するサービスをＧＳＭにおいて同じＱｏＳ（サービスクオリティ）で提供できないことを識別する。従って、サービスレベルダウングレードを実行し、そしてＵＭＴＳカバレージが使用可能になったときに接続をＵＭＴＳへハンドオーバーして戻さねばならないことをハンドオーバー要求メッセージにおいてＧＳＭ　ＢＳＳへ指示する（通信２）。
【００２６】
通信３において、ＧＳＭ　ＢＳＳは、ハンドオーバー要求確認をＭＳＣ／ＶＬＲへ送信する。その後、ＭＳＣ／ＶＬＲは、ＵＭＴＳ　ＲＡＮへリロケーションコマンドを送信する（通信４）。このコマンドを受け取ると、ＵＭＴＳ　ＲＡＮは、ＲＲＣシステム間ハンドオーバーコマンドをＵＥへ送信する（通信５）。その後に、ＵＥは、ＧＳＭ無線アクセスネットワークにおける無線リソースにアクセスする（通信６）。
図１を参照し、ＵＭＴＳからＧＳＭへのサービスに基づく強制型システム間ハンドオーバーについて説明する。上述したように、ハンドオーバーは、加入者の認識に基づくか又は加入者のホームネットワークの認識に基づくことができる。
【００２７】
この場合、サービス要求（図１の通信１）があると、コアネットワーク（ＭＳＣ／ＶＬＲ）は、加入者の認識を分析し、加入者がオペレータ「自身」の加入者であるか訪問加入者であるかを見出す。オペレータ特有の基準及び分析結果に基づいて、コアネットワークは、別の無線アクセスネットワーク形式へ接続をハンドオーバーすべきであることを指定要求（図１の通信３）において指示する。従って、加入者の認識に基づくオペレータ強制型システム間ハンドオーバーに関連して図１に示すものと同様の手順を使用することができる。
これは、許された無線アクセスネットワーク形式をＨＬＲ及びＶＬＲ−ＨＬＲインターフェイスにおいて加入者パラメータとして特定することにより更に拡張することができる。これは、オペレータが個々の加入者のレベルにおいて異なる無線アクセスネットワーク形式へのアクセスを制御できるようにする。
【００２８】
更に、システム間ハンドオーバーは、加入者の位置に基づいてトリガーすることができる。例えば、加入者が特定のＳＡ（サービスエリア）、ＬＳＡ（局所化されたサービスエリア）又は地理的エリアに出入りするときに、ハンドオーバーを強制することができる。
必要とされる機能を特定する方法は、基本的に２つある。１つの方法は、指定要求メッセージ（図１の通信３）及びハンドオーバー要求メッセージ（図１の通信５）において位置情報及びターゲット無線アクセスネットワークの形式を指示することである。
【００２９】
或いは又、新たな手順、例えば、位置をベースとするハンドオーバー要求が、例えば、サービスしている無線アクセスネットワークに必要な情報を搬送するＩｕ及びＡインターフェイスにおいて、コアネットワークと無線アクセスネットワークとの間に導入される。位置をベースとするハンドオーバー要求メッセージは、ハンドオーバー手順を開始しないことに注意されたい。これは、無線アクセスネットワークにおいてハンドオーバー判断アルゴリズムのための付加的な情報しか与えない。この情報は、ハンドオーバーをいつ開始すべきか（位置）そしてそれをどこで実行すべきか（好ましい順序でのターゲット無線アクセスネットワークの形式）を特定する。この付加的な機能の効果は、ターゲットネットワークに関する必要な情報を接続確立又はハンドオーバー時に送信しなくてもよいことである。必要な情報は、アクティブな接続中にいつでも送信することができる。
【００３０】
セキュリティレベルに基づく強制型ハンドオーバーは、現在の規格に対する付加的な変更を必ずしも必要としない。最も簡単な構成において、サービスしているコアネットワークエンティティ、例えば、ＧＳＭではＭＳＣ／ＶＬＲ又はＧＰＲＳではＳＧＳＮが、要求されたサービスを分析し、そして現在使用されているセキュリティレベルが受け入れられるかどうかの判断を実行する。これは、１組の許されたセキュリティアルゴリズムをホームドメイン（ＨＬＲ（ホーム位置サーバー）、ＨＳＳ（ホーム加入者サーバー）、ＡＡＡサーバー（認証、認証・アカウンティング））からサービスしているコアネットワーク要素（即ちＳＧＳＮ又はＭＳＣ／ＶＬＲ）へ搬送するためのメカニズムを特定することにより更に改善することができる。単一組の許されたアルゴリズム、又はサービス特有の組の許されたアルゴリズムがあってもよい。ＧＳＭ／ＵＭＴＳでは、この情報は、ＭＡＰ（移動アプリケーションパート）送信識別情報及びＭＡＰ送信認証情報オペレーションにおいて送信される。
【００３１】
本発明により、現在使用されている以外の別の形式の無線アクセスネットワークにアクセスするようユーザに強制するためにオペレータが使用できる指定及びハンドオーバー手順について説明した。ハンドオーバーに使用される基準は、上記例として述べたものに限定されない。コアネットワークにおいて本発明を実施する原理は、誰（加入者の認識）が、何（のサービス）に対し、どこ（の位置）で、そのネットワークシステムにおける特定形式の無線アクセスネットワーク、例えば、ＷＬＡＮ、ＵＭＴＳ、ＢＲＡＮ、ＧＳＭ、ＧＥＲＡＮ、ＩＳ−１３６、ＷＣＤＭＡ、等を使用するか制御するためにオペレータに対する１組のツールを導入することである。即ち、１組の構成可能なパラメータを使用することによりオペレータが振る舞いを特定できるところの融通性のあるハンドオーバーアルゴリズムを提供することができる。例えば、１つの新たなパラメータを指定要求に導入するだけで、オペレータは、異なる形式の無線アクセスネットワークへのアクセスを柔軟に制御することができる。
【００３２】
本発明は、コアネットワークにアタッチされた少なくとも２つの異なる形式の無線アクセスネットワークを有するワイヤレス移動通信システムに適用することができる。
以上、好ましい実施形態を参照して本発明を説明したが、この説明は、本発明を例示するものであって、本発明を何ら限定するものではない。特許請求の範囲に規定した本発明の真の精神及び範囲から逸脱せずに種々の変更や応用が可能であることが当業者に明らかであろう。
【図面の簡単な説明】
【図１】
サービスをベースとする強制型システム間ハンドオーバーの概略図である。
【図２】
「ＵＭＴＳが使用可能になったときにＵＭＴＳへ戻る」ハンドオーバーの概略図である。
【図１】
2004502363.tif 000003
【図２】
2004502363.tif 000004
【国際公開パンフレット】
2004502363.tif 000005
2004502363.tif 000006
2004502363.tif 000007
2004502363.tif 000008
2004502363.tif 000009
2004502363.tif 000010
2004502363.tif 000011
2004502363.tif 000012
2004502363.tif 000013
2004502363.tif 000014
2004502363.tif 000015
2004502363.tif 000016
2004502363.tif 000017
2004502363.tif 000018
2004502363.tif 000019
2004502363.tif 000020
2004502363.tif 000021
2004502363.tif 000022
2004502363.tif 000023
2004502363.tif 000024
【国際調査報告】
2004502363.tif 000025
2004502363.tif 000026
2004502363.tif 000027